(57)【要約】【課題】モバイルＩＰの通信システムにおいて、移動端末装置の性能に応じたＱｏＳを保証する通信システムを得ること。【解決手段】移動端末装置３０−１，３０−２が自装置の端末性能情報をユーザ管理装置１０に通知し、ユーザ管理装置１０が移動端末装置３０−１，３０−２から通知されたそれぞれの端末性能情報を管理するとともに、端末性能情報をルーティング設定としてパケット転送装置２０に設定し、パケット転送装置２０がユーザ管理装置１０から設定されたルーティング設定に基づいて移動端末装置３０−１，３０−２宛てのパケットを転送する。【選択図】        図１
2005295332.tif 000002
【特許請求の範囲】
【請求項１】
複数の移動端末装置が異なる無線アクセスシステムを移動する場合に、ユーザ管理装置が前記複数の移動端末装置毎にホームアドレスと移動先の無線アクセスシステムで取得した気付けアドレスとを対応付けて管理し、パケット転送装置が前記ユーザ管理装置の指示に基づいて前記複数の移動端末装置宛てのパケットを転送することによって、前記複数の移動端末装置がＩＰアドレスを変更することなく通信を継続するモバイルＩＰの通信システムにおいて、
前記複数の移動端末装置は、
自装置の端末性能情報を前記ユーザ管理装置に通知し、
前記ユーザ管理装置は、
前記複数の移動端末装置から通知されたそれぞれの端末性能情報を管理するとともに、前記端末性能情報をルーティング設定として前記パケット転送装置に設定し、
前記パケット転送装置は、
前記ユーザ管理装置から設定されたルーティング設定に基づいて前記複数の移動端末装置宛てのパケットを転送することを特徴とする通信システム。
【請求項２】
前記端末性能情報は、
前記移動端末装置が有する送受信可能なコンテンツタイプまたは伝送速度とし、
前記パケット転送装置は、
前記ルーティング設定として送受信可能なコンテンツタイプが設定された場合には、転送するパケットを前記送受信可能なコンテンツタイプのパケットに変換して、変換したパケットを転送し、前記ルーティング設定として伝送速度が設定された場合には、前記設定された伝送速度に応じた伝送速度で前記複数の移動端末装置宛てのパケットを転送することを特徴とする請求項１に記載の通信システム。
【請求項３】
前記複数の移動端末装置は、
自装置の位置を測定する位置測定部、
を備え、
前記位置測定部によって測定した位置情報を前記ユーザ管理装置に通知し、
前記ユーザ管理装置は、
前記異なる無線アクセスシステムの通信エリアの位置情報を示すアクセスエリアマップ、
を備え、
前記複数の移動端末装置から通知されるそれぞれの位置情報と前記アクセスエリアマップとに基づいて、前記複数の移動端末装置が前記異なる無線アクセスシステムのどの位置に位置しているかを管理すること、
を特徴とする請求項１または２に記載の通信システム。
【請求項４】
前記異なる無線アクセスシステムに配置される接続ポイントは、自位置をユーザ管理装置に通知する機能を有し、
前記ユーザ管理装置は、
前記接続ポイントから通知される位置の情報に基づいて無線アクセスシステムの通信エリアを推測して前記アクセスポイントマップを作成すること、
を特徴とする請求項３に記載の通信システム。
【請求項５】
前記複数の移動端末装置は、
前記位置測定部によって測定した位置情報と、接続している無線アクセスシステムと、当該無線アクセスシステムの受信強度とを前記ユーザ管理装置に通知し、
前記ユーザ管理装置は、
前記複数の移動端末装置から通知された位置情報と、接続している無線アクセスシステムと、当該無線アクセスシステムの受信強度とに基づいて無線アクセスシステムの通信エリアを推定して前記アクセスポイントマップを作成すること、
を特徴とする請求項３に記載の通信システム。
【請求項６】
前記ユーザ管理装置は、
前記複数の移動端末装置から通知されるそれぞれの位置情報と前記アクセスエリアマップとに基づいて前記複数の移動端末装置がハンドオーバが可能であるか否かを判定し、ハンドオーバが可能であると判定した場合には、前記移動端末装置にハンドオーバが可能であることを通知し、
前記複数の移動端末装置は、
前記ユーザ管理装置からハンドオーバが可能である通知を受けると、ハンドオーバが可能な無線アクセスシステムに対応する通信インターフェースを起動して接続ポイントに接続した後、ハンドオーバ以前の無線アクセスシステムに対応する通信インターフェースを停止すること、
を特徴とする請求項３〜５の何れか一つに記載の通信システム。
【請求項７】
前記複数の移動端末装置は、
同一グループ接近通知を受信すると、前記異なる無線アクセスシステムを介さずに移動端末装置間で通信を行い、自装置の通信相手およびコンテンツタイプを通知してセッションの移動を行った後に、セッション移動完了通知を前記ユーザ管理装置に送信し、
前記ユーザ管理装置は、
前記複数の移動端末装置をグループ分けして管理し、前記複数の移動端末装置から通知される位置情報に基づいて同一グループの移動端末装置が接近した場合には、接近した移動端末装置に前記同一グループ接近通知を送信するとともに、前記セッション移動完了通知を受けると、前記パケット転送装置にセッションの移動を通知し、
前記パケット転送装置は、
セッションの移動の通知を受けると、セッション移動前の移動端末装置に転送していたパケットを、セッション移動後の移動端末装置宛てに送信すること、
を特徴とする請求項１〜６の何れか一つに記載の通信システム。
【請求項８】
前記複数の移動端末装置は、
グループメンバー参加要請、またはグループメンバー脱退要請をユーザ管理装置に送信し、
前記ユーザ管理装置は、
前記複数の移動端末装置をグループ分けして管理し、前記グループメンバー参加要請を受信した場合には、前記グループメンバー参加要請を送信した移動端末装置をグループに追加するとともに、前記パケット転送装置にグループへの追加を通知し、前記グループ脱退要請を受信した場合には、前記グループメンバー脱退要請を送信した移動端末装置をグループから削除するとともに、前記パケット転送装置にグループからの削除を通知し、
前記パケット転送装置は、
前記ユーザ管理装置からの追加または削除の通知に基づいて前記複数の移動端末装置宛てのパケットを転送すること、
を特徴とする請求項１〜６の何れか一つに記載の通信システム。
【請求項９】
複数の移動端末装置が異なる無線アクセスシステムを移動する場合に、ホームアドレスと移動先の無線アクセスシステムで取得した気付けアドレスとを対応付けて管理するとともに、ルーティング設定を行うことでパケット転送装置に前記複数の移動端末装置宛てのパケットを転送させるユーザ管理装置において、
前記複数の移動端末装置に対応して前記ホームアドレスと気付けアドレスとの対応付け、および前記移動端末装置の端末性能情報を記憶する記憶部と、
この記憶部に記憶されている前記ホームアドレスと気付けアドレスとの対応付け、および前記複数の移動端末装置の端末性能情報を前記ルーティング設定として前記パケット転送装置に設定する管理制御部と、
を備えることを特徴とするユーザ管理装置。
【請求項１０】
前記端末性能情報は、
前記移動端末装置が有する送受信可能なコンテンツタイプまたは伝送速度とすることを特徴とする請求項９に記載のユーザ管理装置。
【請求項１１】
前記記憶部は、
前記異なる無線アクセスシステムの通信エリアの位置情報を示すアクセスエリアマップを記憶し、
前記管理制御部は、
前記複数の移動端末装置から通知されるそれぞれの位置情報と、前記記憶部に記憶されているアクセスエリアマップに基づいて、前記複数の移動端末装置を管理すること、
を特徴とする請求項９または１０に記載のユーザ管理装置。
【請求項１２】
前記管理制御部は、
前記異なる無線アクセスシステムに配置される接続ポイントから通知される位置情報に基づいて前記異なる無線アクセスシステムの通信エリアを推測して前記アクセスエリアマップを作成することを特徴とする請求項１１に記載のユーザ管理装置。
【請求項１３】
前記管理制御部は、
前記複数の移動端末装置から通知される前記移動端末装置の位置情報、接続している無線アクセスシステム、および当該無線アクセスシステムの受信強度に基づいて当該無線アクセスシステムの通信エリアを推測して前記アクセスエリアマップを作成することを特徴とする請求項１１に記載のユーザ管理装置。
【請求項１４】
前記管理制御部は、
前記複数の移動端末装置から通知されるそれぞれの位置情報と前記アクセスエリアマップとに基づいて前記複数の移動端末装置のハンドオーバが可能であるか否かを判定し、ハンドオーバが可能であると判定した場合には、前記移動端末装置にハンドオーバが可能であることを通知することを特徴とする請求項１１〜１３の何れか一つに記載のユーザ管理装置。
【請求項１５】
前記記憶部は、
前記複数の移動端末装置をグループ分けしたグループ情報を記憶し、
前記管理制御部は、
前記グループ情報と前記複数の移動端末装置から通知される位置情報に基づいて同一グループの移動端末装置が接近したか否かを判定し、同一グループの移動端末装置が接近したと判定した場合には、前記接近した移動端末装置に同一グループ接近通知を送信し、前記移動端末装置からセッション移動完了通知を受けると、前記パケット転送装置にセッションの移動を通知することを特徴とする請求項９〜１４の何れか一つに記載のユーザ管理装置。
【請求項１６】
前記記憶部は、
前記複数の移動端末装置をグループ分けしたグループ情報を記憶し、
前記管理制御部は、
前記複数の移動端末装置からグループメンバー参加要請を受信した場合には、前記グループメンバー参加要請を送信した移動端末装置をグループ情報に追加するとともに、前記パケット転送装置にグループへの追加を通知し、前記複数の移動端末装置からグループ脱退要請を受信した場合には、前記グループメンバー脱退要請を送信した移動端末装置をグループ情報から削除するとともに、前記パケット転送装置にグループからの削除を通知することを特徴とする請求項９〜１４の何れか一つに記載のユーザ管理装置。
【請求項１７】
ホームアドレスと気付けアドレスとを対応付けて管理するユーザ管理装置と、このユーザ管理装置によって設定されるルーティング設定によってパケットのＩＰアドレスを変更することなく異なる無線アクセスシステムにパケットを転送するパケット転送装置とを備える通信システムに適用される移動端末装置において、
前記異なる無線アクセスシステムに対応する無線インターフェース部と、
自装置の端末性能情報を前記ユーザ管理装置に送信する制御部と、
を備えることを特徴とする移動端末装置。
【請求項１８】
前記端末性能情報は、
自装置が有する送受信可能なコンテンツタイプまたは伝送速度とすることを特徴とする請求項１７に記載の移動端末装置。
【請求項１９】
自装置の位置を測定する位置測定部、
をさらに備え、
前記制御部は、
前記位置測定部によって測定した自装置の位置情報を前記ユーザ管理装置に送信すること、
を特徴とする請求項１７または１８に記載の移動端末装置。
【請求項２０】
前記制御部は、
前記無線インターフェース部のうち接続している無線アクセスシステムに対応する無線インターフェース部のみを起動し、前記ユーザ管理装置からハンドオーバが可能であることを通知された場合、前記ハンドオーバが可能な無線アクセスシステムに対応する通信インターフェース部を起動して前記ハンドオーバが可能な無線アクセスシステムの接続ポイントに接続した後に、前記ハンドオーバが可能な無線アクセスシステムに接続する前に通信を行っていた無線アクセスシステムに対応する通信インターフェース部を停止することを特徴とする請求項１７〜１９の何れか一つに記載の移動端末装置。
【請求項２１】
前記制御部は、
前記ユーザ管理装置から同一グループ接近通知を受信すると、前記異なる無線アクセスシステムを介さずに移動端末装置間で通信を行い、自装置の通信相手およびコンテンツタイプを通知してセッションの移動を行った後に、セッション移動完了通知を前記ユーザ管理装置に送信することを特徴とする請求項１７〜２０の何れか一つに記載の移動端末装置。
【請求項２２】
前記制御部は、
前記ユーザ管理装置によって管理される前記通信システム内の複数の移動端末装置のグループに参加する場合には、グループメンバー参加要請を前記ユーザ管理装置に送信し、自装置が属するグループから脱退する場合には、グループメンバー脱退要請をユーザ管理装置に送信することを特徴とする請求項１７〜２０の何れか一つに記載の移動端末装置。
【発明の詳細な説明】
【技術分野】
【０００１】
本発明は、モバイルＩＰ（Internet Protocol）による通信システムに関するものであり、特に、モバイルＩＰｖ６による通信システム、ユーザ管理装置および移動端末装置に関するものである。
【背景技術】
【０００２】
移動体（モバイル)のために開発されたモバイルＩＰは、ＩＰレイヤで移動端末装置の移動管理を行い、移動端末装置が接続ポイント間を移動して接続するサブネットプレフィックスが変更された場合でも、ホームリンク上の移動端末装置に割り当てられたＩＰアドレスであるホームアドレス（ＨｏＡ）を変更することなく通信を継続することができる技術である。ＩＰｖ４（Internet Protocol version 4）からＩＰｖ６（Internet Protocol version 6）への変更にともない、モバイルＩＰにおいてもモバイルＩＰｖ６の標準化が議論されており、Ｉｎｔｅｒｎｅｔ  Ｄｒａｆｔ（draft-ietf-mobileip-ipv6-24.txt）が提案されている。
【０００３】
Ｉｎｔｅｒｎｅｔ  Ｄｒａｆｔ（第１の従来技術）では、移動端末装置（ＭＮ：Mobile Node）がホームリンク以外の外部のネットワーク（ＦＮ：Foreign Network）に移動した場合、移動端末装置は外部ネットワークのネットワークプレフィックスをネットワーク識別子とする気付けアドレス（ＣｏＡ：Care-of Address）によって管理される。
【０００４】
具体的には、外部ネットワークに接続すると移動端末装置は、接続した外部ネットワークにおけるＩＰアドレスとなる気付けアドレスを取得し、取得した気付けアドレスとホームアドレスとの対応付け情報であるＢｉｎｄｉｎｇ  Ｕｐｄｅｔｅ（ＢＵ）メッセージをホームリンク内でユーザ管理を行うホームエージェント（ＨＡ：Home Agent）に送信する。ホームエージェントは、ＢＵメッセージによって通知されたホームアドレスと気付けアドレスとの対応付けを記憶する。ホームエージェントは、以後、記憶したホームアドレスと気付けアドレスとの対応付けに基づいて移動端末装置宛てのパケットを送信する。これにより、移動端末装置に割り付けられたホームアドレスを変更することなく、移動端末装置の通信を継続することができる。
【０００５】
Ｉｎｔｅｒｎｅｔ  Ｄｒａｆｔのように、移動端末装置が複数のネットワーク間を移動してもＩＰアドレスを変更することなく通信を継続する通信システムに関する技術が種々考えられている。
【０００６】
たとえば、特許文献１に記載の従来技術（第２の従来技術）には、複数の無線アクセスシステムが存在する環境下において、それらの複数の無線アクセスシステムに対応した通信インターフェースを有する移動端末装置のハンドオーバに関する技術が開示されている。具体的には、移動端末装置は、自装置が有する複数の通信インターフェースをすべて起動して接続可能な無線アクセスシステムを検索して、検索した無線アクセスシステムの中から接続する無線アクセスシステムを選択するようにしている。
【０００７】
また、特許文献２に記載の従来技術（第３の従来技術）には、ホームエージェントが管理するホームアドレスと気付けアドレスとの対応付けを管理する際に、ホームアドレスと気付けアドレスとに加えて、移動端末装置のＭＡＣアドレスも対応付けて管理することで、レイヤ２による高速なハンドオーバに関する技術が開示されている。
【０００８】
【特許文献１】特開２００３−１６３６７９号公報
【特許文献２】特開２００２−３４４４７９号公報
【非特許文献１】Ｉｎｔｅｒｎｅｔ  Ｄｒａｆｔ（draft-ietf-mobileip-ipv6-24.txt）
【発明の開示】
【発明が解決しようとする課題】
【０００９】
しかしながら、上記第１〜第３の従来技術は、ＩＰアドレスに基づいてＢｅｓｔＥｆｆｏｒｔ型のルーティングを行うＩＰレイヤによって移動端末装置が複数のネットワーク間を移動してもＩＰアドレスを変更することなく通信を継続するモバイルＩＰの通信システムであるため、ＱｏＳ（Quality Of Service）の保証が困難であるという問題があった。
【００１０】
また、上記第１の従来技術では、移動端末装置毎にホームアドレスと気付けアドレスとを対応付けることで移動端末装置の移動（Terminal Mobility）をサポートするようにしているが、ホームアドレスと気付けアドレスとの対応付けは移動端末装置毎に独立して管理されているため、移動端末装置から他の移動端末装置へのセッションの移動（Ｄｅｖｉｃｅ  Ｍｏｂｉｌｉｔｙ）や、ネットワークドメイン自身の移動（Ｇｒｏｕｐｅ  Ｍｏｂｉｌｉｔｙ）への対応が困難であるという問題があった。この問題は、ユビキタスネットワークなどではＤｅｖｉｃｅ  ＭｏｂｉｌｉｔｙやＧｒｏｕｐｅ  Ｍｏｂｉｌｉｔｙの検討が行われているが、解決には至っていない。
【００１１】
また、上記第２の従来技術では、ハンドオーバを行う接続可能な無線アクセスシステムを検索するために、常にすべての通信インターフェースを起動しなければならないので、消費電力が大きくなってしまうという問題があった。この問題は、電池で動作する移動端末装置の場合には電池の消費が早くなってしまうし、充電式の移動端末装置の場合には、頻繁に充電しなければならず、移動端末装置の所有者にはわずらわしいことである。
【００１２】
この発明は上記に鑑みてなされたもので、モバイルＩＰの通信システムにおいて、移動端末装置の性能に応じたＱｏＳを保証する通信システム、ユーザ管理装置、および移動端末装置を得ることを第１の目的とする。
【００１３】
第２の目的は、モバイルＩＰの通信システムにおいて、Ｄｅｖｉｃｅ  Ｍｏｂｉｌｉｔｙや、Ｇｒｏｕｐｅ  Ｍｏｂｉｌｉｔｙに対応する通信システム、ユーザ管理装置、および移動端末装置を得ることである。
【００１４】
第３の目的は、モバイルＩＰの通信システムにおいて、移動端末装置のハンドオーバに関する消費電力を抑制することができる通信システム、ユーザ管理装置、および移動端末装置を得ることである。
【課題を解決するための手段】
【００１５】
上記目的を達成するため、この発明にかかる通信システムは、複数の移動端末装置が異なる無線アクセスシステムを移動する場合に、ユーザ管理装置が前記複数の移動端末装置毎にホームアドレスと移動先の無線アクセスシステムで取得した気付けアドレスとを対応付けて管理し、パケット転送装置が前記ユーザ管理装置の指示に基づいて前記複数の移動端末装置宛てのパケットを転送することによって、前記複数の移動端末装置がＩＰアドレスを変更することなく通信を継続するモバイルＩＰの通信システムにおいて、前記複数の移動端末装置は、自装置の端末性能情報を前記ユーザ管理装置に通知し、前記ユーザ管理装置は、前記複数の移動端末装置から通知されたそれぞれの端末性能情報を管理するとともに、前記端末性能情報をルーティング設定として前記パケット転送装置に設定し、前記パケット転送装置は、前記ユーザ管理装置から設定されたルーティング設定に基づいて前記複数の移動端末装置宛てのパケットを転送することを特徴とする。
【００１６】
この発明によれば、移動端末装置が自装置の端末性能情報をユーザ管理装置に通知し、ユーザ管理装置が複数の移動端末装置から通知されたそれぞれの端末性能情報を管理するとともに、端末性能情報をルーティング設定としてパケット転送装置に設定し、パケット転送装置がユーザ管理装置から設定されたルーティング設定に基づいて複数の移動端末装置宛てのパケットを転送するようにしている。
【発明の効果】
【００１７】
この発明にかかる通信システムによれば、移動端末装置が自装置の端末性能情報を前記ユーザ管理装置に通知し、ユーザ管理装置が複数の移動端末装置から通知されたそれぞれの端末性能情報を管理するとともに、端末性能情報をルーティング設定としてパケット転送装置に設定し、パケット転送装置がユーザ管理装置から設定されたルーティング設定に基づいて複数の移動端末装置宛てのパケットを転送するようにしているので、移動端末装置の性能に応じたＱｏＳを保証することができる。
【発明を実施するための最良の形態】
【００１８】
以下に、この発明にかかる通信システム、ユーザ管理装置、および移動端末装置の実施の形態を図面に基づいて詳細に説明する。なお、この実施の形態によりこの発明が限定されるものではない。
【００１９】
実施の形態１．
図１〜図４を用いてこの発明の実施の形態１を説明する。図１は、この発明における実施の形態１の通信システムの構成の一例を示す概略図である。この発明における実施の形態１の通信システムは、ユーザ管理装置１０と、パケット転送装置２０と、複数（この場合は２台）の移動端末装置３０−１，３０−２とを備えている。ユーザ管理装置１０とパケット転送装置２０とは、たとえば、ＬＡＮ（Local Area Network）ケーブルや無線通信などで接続されＴＣＰ（Transmission Control Protocol）による相互通信が可能となっている。移動端末装置３０−１，３０−２は、３ＧＰＰ（３rd Generation Partnership Project）によって規定される無線通信エリア４０および無線ＬＡＮ５０のインターフェースを備え、無線通信エリア４０または無線ＬＡＮ５０を介してインターネット６０に接続し、パケット転送装置２０との相互通信が可能となっている。なお、無線通信エリア４０および無線ＬＡＮ５０が、請求の範囲で言うところの異なる無線アクセスシステムである。
【００２０】
ユーザ管理装置１０は、モバイルＩＰｖ６のＢｉｎｄｉｎｇ  Ｃａｃｈｅの機能に加え、移動端末装置３０−１，３０−２の端末性能情報を管理する機能を備えている。図２は、図１に示したユーザ管理装置１０の構成を示すブロック図である。ユーザ管理装置１０は、管理制御部１１と、ＰＮインターフェース部１２と、記憶部１３とを備えている。
【００２１】
記憶部１３には、ユーザ管理装置１０が管理する移動端末装置３０の端末情報が登録される。端末情報とは、移動端末装置３０−１，３０−２のホームアドレスと気付けアドレスとの対応付け、および移動端末装置３０−１，３０−２の端末性能情報である。端末情報は、移動端末装置３０−１，３０−２に対応付けて登録される。また、端末性能情報とは、たとえば、移動端末装置３０−１，３０−２が有する通信インターフェース、通信インターフェースごとの送受信可能な伝送速度、再生可能なコンテンツタイプなどである。
【００２２】
ＰＮインターフェース部１２は、パケット転送装置２０と相互通信を行うためのインターフェース機能を備えている。管理制御部１１は、ユーザ管理装置１０の各構成部分を統括的に制御するとともに、記憶部１３に記憶されている端末情報に基づいてパケット転送装置２０に対して移動端末装置３０−１，３０−２の性能に応じたルーティング設定を行う。
【００２３】
パケット転送装置２０は、ユーザ管理装置１０からのルーティング設定に基づいてパケットを移動端末装置３０−１，３０−２に転送する。図３は、図１に示したパケット転送装置２０の構成を示すブロック図である。パケット転送装置２０は、ルーティング設定記憶部２１と、通信制御部２２と、ＵＥインターフェース部２３と、ＵＥＭインターフェース部２４とを備えている。
【００２４】
ＵＥインターフェース部２３は、移動端末装置３０−１，３０−２と相互通信を行うためのインターフェース機能を備えている。ＵＥＭインターフェース部２４は、ユーザ管理装置１０と相互通信を行うためのインターフェース機能を備えている。
【００２５】
ルーティング設定記憶部２１は、ユーザ管理装置１０から通知されたルーティング設定を記憶する。通信制御部２２は、パケット転送装置２０の各構成部分を統括的に制御するとともに、ルーティング設定記憶部２１に記憶されているルーティング設定に基づいてパケットを転送する。
【００２６】
図１に示した移動端末装置３０−１，３０−２は同じ機能を備えている。図４に示した移動端末装置３０−１の構成を示すブロック図を参照して、移動端末装置の機能を説明する。移動端末装置３０−１は、無線インターフェース部３２，３３と、制御部３１とを備えている。
【００２７】
無線インターフェース部３２は、図１に示した３ＧＰＰによって規定される無線通信エリア４０を介して通信を行うインターフェース機能を備えている。無線インターフェース部３３は、図１に示した無線ＬＡＮ５０を介して通信を行うインターフェース機能を備えている。すなわち、無線インターフェース部３２，３３は、通信システム内の異なる無線アクセスシステム（この場合は、３ＧＰＰに規定される無線アクセスシステムと、無線ＬＡＮによる無線アクセスシステム）に対応した通信インターフェースである。
【００２８】
制御部３１は、移動端末装置３０−１の各構成部分を統括的に制御するとともに、モバイルＩＰｖ６における通信処理を行う。また、制御部３１は、自装置の端末性能情報を有しており、Ｂｉｎｄｉｎｇ  Ｕｐｄａｔｅメッセージ（ＢＵメッセージ）に端末性能情報を付加して、端末性能情報を付加したＢＵメッセージをユーザ管理装置１０に送信する。
【００２９】
つぎに、この発明における実施の形態１の通信システムの動作を説明する。移動端末装置３０−１が、ホームリンク以外の外部のネットワークである無線通信エリア４０に移動したとする。移動端末装置３０−１は、無線通信エリア４０における気付けアドレスとホームアドレスとの対応付けと、自装置の端末性能情報とを通知するＢＵメッセージをユーザ管理装置１０に送信する。具体的には、制御部３１は、無線通信エリア４０の気付けアドレスを取得する。制御部３１は、取得したアドレスとホームアドレスとの対応付け、自装置の端末性能情報を含んだＢＵメッセージを生成する。制御部３１は、生成したＢＵメッセージを無線インターフェース部３２を介してユーザ管理装置１０に送信する。
【００３０】
移動端末装置３０−１から送信されたＢＵメッセージを受信すると、パケット転送装置２０の通信制御部２２は、ＵＥＭインターフェース部２４を介して受信したＢＵメッセージをユーザ管理装置１０に送信する。
【００３１】
ユーザ管理装置１０の管理制御部１１は、ＰＮインターフェース部１２を介してＢＵメッセージを受信すると、気付けアドレスとホームアドレスとの対応付け、および端末性能情報を移動端末装置３０−１に対応付けて記憶部１３に記憶させる。管理制御部１１は、移動端末装置３０−１の端末性能情報をパケット転送装置２０に通知する。なお、端末性能情報をパケット転送装置２０に通知するタイミングは、ＢＵメッセージを受信した時ではなく、他のシグナリングを受信したときでもよい。
【００３２】
端末性能情報を受信するとパケット転送装置２０の通信制御部２２は、受信した端末性能情報をルーティング設定記憶部２１に記憶させる。以後、移動端末装置３０−１宛てのパケットを受信すると、ルーティング設定記憶部２１に記憶されている端末性能情報に基づいて、伝送速度を変更するか否か、コンテンツタイプによってパケットを転送するか否か、データ変換を行うか否かなどを判定する。通信制御部２２は、判定の結果に基づいてパケットを転送する。
【００３３】
たとえば、通信制御部２２は、移動端末装置３０−１宛てのパケットの受信において伝送速度を監視して、監視した伝送速度が移動端末装置３０−１の伝送速度よりも早い場合には、パケットの転送を制御して移動端末装置３０−１の伝送速度にあわせてパケットを送信する。
【００３４】
また、通信制御部２２は、移動端末装置３０−１宛てのパケットのコンテンツタイプを識別して、移動端末装置３０−１が再生可能なコンテンツタイプのパケットであれば移動端末装置３０にパケットを転送し、再生不可能なコンテンツタイプ（移動端末装置３０−１が再生をサポートしていないコンテンツタイプ）のパケットであればパケットを破棄したり、データ変換してパケットを転送する。具体的には、移動端末装置３０−１が、映像を再生することができず、音声のみ再生する機能を有していることがルーティング設定記憶部２１に記憶されているとする。通信制御部２２は、受信した移動端末装置３０−１宛てのパケットが音声と映像とのデータであることを識別すると、ルーティング設定記憶部２１の移動端末装置３０−１の端末性能情報を読み出す。通信制御部２２は、読み出した端末性能情報の再生可能なコンテンツタイプから、移動端末装置３０−１は、映像は再生不可能であり、音声のみ再生することができることを認識する。通信制御部２２は、映像と音声のデータを音声のみのデータに変換して、変換した音声のみのデータのパケットを移動端末装置３０−１に送信する。
【００３５】
なお、移動端末装置３０−２の場合は、移動した外部ネットワークが無線通信エリア４０ではなく無線ＬＡＮ５０であるので、無線インターフェース部３３を用いて通信を行う以外は、上述した移動端末装置３０−１と同じ動作となるのでここではその説明を省略する。
【００３６】
このようにこの実施の形態１では、ユーザ管理装置１０が管理する移動端末装置３０−１，３０−２の端末性能情報を記憶部１３に登録して管理するとともに、記憶部１３に登録した端末性能情報をパケット転送装置２０にルーティング設定として通知するようにしているので、移動端末装置に対応した性能に応じたＱｏＳを保証することができる。
【００３７】
実施の形態２．
図５および図６を用いてこの発明における実施の形態２を説明する。この発明における実施の形態２の通信システムは、図１に示した実施の形態１の通信システムの移動端末装置３０−１，３０−２の変わりに移動端末装置３０ａ−１，３０ａ−２を備えている。
【００３８】
移動端末装置３０ａ−１，３０ａ−２は、実施の形態１の移動端末装置３０−１，３０−２の機能に加えて、自装置の位置情報を測定して、測定した位置情報をユーザ管理装置１０に通知する機能を備えている。移動端末装置３０ａ−１，３０ａ−２は同じ機能を備えている。図５に示した移動端末装置３０ａ−１の構成を示すブロック図を参照して、移動端末装置の機能を説明する。移動端末装置３０ａ−１は、図３に示した実施の形態１の移動端末装置３０−１に、位置測定部３４が追加されている。図３に示した実施の携帯１の移動端末装置３０−１と同じ機能を持つ構成部分には同一符号を付し、重複する説明は省略する。
【００３９】
位置測定部３４は、たとえば、ＧＰＳ（Global Positioning System：全地球無線測位システム）などの位置測定システムの受信機で構成され、自装置が所在する緯度、経度などの位置情報を測定する。
【００４０】
ユーザ管理装置１０の記憶部１３には、気付けアドレスとホームアドレスとの対応付け、および端末性能情報に加えて、図６に示すように、ユーザ管理装置１０が管理するネットワーク（この場合は無線通信エリア４０と無線ＬＡＮ５０）の通信エリアの位置を示すアクセスエリアマップが登録される。
【００４１】
つぎに、移動端末装置３０ａ−１が３ＧＰＰに規定される無線通信エリア４０に接続して、無線通信エリア４０のインターフェース機能を有する無線インターフェース部３２を起動して通信を行っている場合を例に挙げて、この発明における実施の形態２の通信システムの動作を説明する。なお、移動端末装置３０ａ−１は、通信を行っている無線通信エリア４０のインターフェースを有する無線インターフェース部３２のみを起動しており、無線ＬＡＮ５０のインターフェースを有する無線インターフェース部３３は停止しているものとする。
【００４２】
移動端末装置３０ａ−１の位置測定部３４は、自装置の位置を予め定められた時間間隔ごとに測定する。制御部３１は、位置測定部３４によって測定された位置情報をユーザ管理装置１０に通知する。
【００４３】
ユーザ管理装置１０の管理制御部１１は、移動端末装置３０ａ−１から通知された位置情報および記憶部１３に記憶されているアクセスエリアマップに基づいて、移動端末装置３０ａ−１が管理するネットワークのどこに位置しているかを認識する。たとえば、管理制御部１１は、移動端末装置３０ａ−１から通知された位置情報から、移動端末装置３０ａ−１がアクセスエリアマップの無線通信エリア４０の位置ｘ０に位置していることを認識する。
【００４４】
ここで、移動端末装置３０ａ−１が無線通信エリア４０内を移動したとする。移動端末装置３０ａ−１の制御部３１は、位置測定部３４によって測定された位置情報を定期的にユーザ管理装置１０に通知している。ユーザ管理装置１０の管理制御部１１は、移動端末装置３０ａ−１から通知された位置情報から、移動端末装置３０ａ−１がアクセスエリアマップの無線通信エリア４０の位置ｘ１に移動したことを認識する。移動端末装置３０ａ−１が位置する位置ｘ１は、無線ＬＡＮ５０の通信エリアでもある。管理制御部１１は、移動端末装置３０ａ−１が現在位置する位置ｘ１が無線通信エリア４０の通信エリアであり、かつ無線ＬＡＮ５０の通信エリアであることを認識して、無線通信エリア４０から無線ＬＡＮ５０へのハンドオーバが可能であると判定する。管理制御部１１は、移動端末装置３０ａ−１に無線ＬＡＮ５０へのハンドオーバが可能であることを通知する。
【００４５】
移動端末装置３０ａ−１の制御部３１は、ユーザ管理装置１０からハンドオーバが可能である通知を受けると、ハンドオーバを行うか否かを決定する。ハンドオーバを行う場合、制御部３１は、停止していた無線インターフェース部３３を起動して無線ＬＡＮ５０のアクセスポイントを検索して、無線ＬＡＮ５０に接続する。無線ＬＡＮ５０への接続が完了すると、制御部３１は、無線インターフェース部３２を停止して、無線インターフェース部３３を用いて無線ＬＡＮ５０での通信を開始する。
【００４６】
ハンドオーバを行わない場合には、移動端末装置３０ａ−１の制御部３１は、現在起動している無線インターフェース部３２を用いて無線通信エリア４０での通信を継続する。
【００４７】
このようにこの実施の形態２では、ユーザ管理装置１０が、自装置が管理するネットワークの通信エリアの位置情報を示すアクセスエリアマップを記憶しておき、アクセスエリアマップと移動端末装置３０ａ−１から通知される位置情報とに基づいてハンドオーバが可能であるか否かを判断して、ハンドオーバが可能な場合にはハンドオーバが可能であることを移動端末装置３０ａ−１に通知するようにしている。これにより、移動端末装置は、ハンドオーバを行うために自装置が備える複数の無線インターフェース部３２，３３を常に起動してアクセスポイントを検索することなくハンドオーバを行うことが可能となり、ハンドオーバのための移動端末装置の消費電力を抑制することができる。
【００４８】
なお、この実施の形態２では、移動端末装置３０ａ−１の位置情報とアクセスマップに基づいて、ユーザ管理装置１０の制御部３１が、移動端末装置３０ａ−１のハンドオーバが可能であるか否かを判断するようにしたが、端末性能情報として移動端末装置３０ａ−１が有する通信インターフェースを記憶している場合には、通信インターフェースを含めて、ハンドオーバが可能か否かを判定するようにしてもよい。すなわち、図６に示したアクセスエリアマップの位置ｘ１に移動端末装置３０ａ−１が位置していることを認識すると、制御部３１は、記憶部１３から移動端末装置３０ａ−１の通信インターフェースとして無線ＬＡＮ５０のインターフェースが備えられているかを検索して、無線ＬＡＮ５０のインターフェースが備えられている場合のみ、ハンドオーバが可能であることを移動端末装置３０ａ−１に通知するようにしてもよい。
【００４９】
実施の形態３．
図７および図８（図８−１，図８−２）を用いてこの発明における実施の形態３を説明する。この発明における実施の形態３の通信システムは、図１に示した実施の形態１の通信システムの移動端末装置３０−１，３０−２の変わりに移動端末装置３０ｂ−１，３０ｂ−２を備えている。
【００５０】
移動端末装置３０ｂ−１，３０−２は、実施の形態２の移動端末装置３０ａ−１，移動端末装置３０ａ−２の機能に加えて、近距離無線通信によってネットワークを介することなく移動端末装置３０ｂ−１と移動端末装置３０ｂ−２との間で相互通信を行う機能を備えている。
【００５１】
移動端末装置３０ｂ−１，３０ｂ−２は同じ機能を備えている。図７に示した移動端末装置３０ｂ−１の構成を示すブロック図を参照して、移動端末装置の機能を説明する。移動端末装置３０ｂ−１は、図５に示した移動端末装置３０ａ−１に、近距離無線インターフェース部３５が追加されている。図５に示した移動端末装置３０ａ−１と同じ機能を持つ構成部分には同一符号を付し、重複する説明は省略する。
【００５２】
近距離無線インターフェース部３５は、たとえば、Ｂｌｅｕｔｏｏｔｈなどで構成され、無線通信エリア４０や無線ＬＡＮ５０を使用することなく移動端末装置間で相互通信を行うためのインターフェース機能である。
【００５３】
ユーザ管理装置１０は、たとえば、無線通信エリア４０に位置している移動端末装置を１つのグループとし、無線ＬＡＮ５０に位置している移動端末装置を１つのグループとするなど、ユーザ管理装置１０が管理する複数の移動端末装置をいくつかのグループに分けて管理することができる。記憶部１３には、気付けアドレスとホームアドレスの対応付け、端末性能情報、アクセスエリアマップに加え、移動端末装置が属するグループのグループ情報も登録される。
【００５４】
つぎに、図８を参照してこの発明における実施の形態３の通信システムの動作を説明する。なお、この発明における実施の形態３の通信システムは、複数のネットワーク（無線アクセスシステム）を有しているが、図８では、移動端末装置３０ｂ−１，３０ｂ−２が位置する無線通信エリア４０のみを図示している。また、ユーザ管理装置１０の記憶部１３には、移動端末装置３０ｂ−１と移動端末装置３０ｂ−２とが同じグループに属することが予め登録されているものとする。
【００５５】
図８−１に示すように、移動端末装置３０ｂ−１と移動端末装置３０ｂ−２は、無線通信エリア４０に位置している。移動端末装置３０ｂ−１，３０ｂ−２の制御部３１は、それぞれの位置測定部３４によって測定した自装置の位置情報をユーザ管理装置１０に通知する。
【００５６】
ユーザ管理装置１０の管理制御部１１は、移動端末装置３０ｂ−１，３０ｂ−２から通知される位置情報と記憶部１３に記憶しているアクセスエリアマップに基づいて、移動端末装置３０ｂ−１，３０ｂ−２が無線通信エリア４０のどの位置に位置しているかを認識している。
【００５７】
移動端末装置３０ｂ−１は、音声通話を行いながら移動して、図８−１に示した移動端末装置３０ｂ−１の位置から図８−２に示した移動端末装置３０ｂ−１の位置に移動する。ユーザ管理装置１０の管理制御部１１は、移動端末装置３０ｂ−１，３０−２から通知される位置情報とアクセスエリアマップに基づいて移動端末装置３０ｂ−１，３０ｂ−２の位置を認識し、２台の移動端末装置３０ｂ−１，３０ｂ−２が接近したことを認識する。
【００５８】
ユーザ管理装置１０の管理制御部１１は、記憶部１３に登録されているグループ情報から、移動端末装置３０ｂ−１と移動端末装置３０ｂ−２とが同じグループに属していると判断すると、移動端末装置３０ｂ−１，３０ｂ−２に同一グループの移動端末装置が接近したことを通知する同一グループメンバー接近通知を移動端末装置３０ｂ−１と移動端末装置３０ｂ−２とに通知する。
【００５９】
同一グループメンバー接近通知を受信すると、移動端末装置３０ｂ−１の制御部３１と移動端末装置３０ｂ−２の制御部３１は、それぞれの近距離無線インターフェース部３５を起動して通信を行う。移動端末装置３０ｂ−１の制御部３１は、移動端末装置３０ｂ−２に対して通信相手、コンテンツタイプなどの情報を通知して、セッションを移動する。セッションの移動が完了すると、移動端末装置３０ｂ−１制御部３１は、セッションを移動端末装置３０ｂ−２に移動したことを通知するセッション移動完了通知をユーザ管理装置１０に送信する。
【００６０】
セッション移動通知を受信すると、ユーザ管理装置１０の管理制御部１１は、セッションの移動があったこと（この場合は、移動端末装置３０ｂ−１から移動端末装置３０ｂ−２にセッションが移動したこと）をパケット転送装置２０に通知する。
【００６１】
セッションの移動の通知を受けるとパケット転送装置２０の通信制御部２２は、移動端末装置３０ｂ−１に転送していたパケットを移動端末装置３０ｂ−２宛てに転送する。通信制御部２２は、移動端末装置３０ｂ−１に転送していたパケットを移動端末装置３０ｂ−２に転送する処理を開始する際に、ルーティング設定記憶部２１に登録されている移動端末装置３０ｂ−２の端末性能情報に基づいて、伝送速度を変更するか否か、コンテンツタイプによってパケットを転送するか否か、データ変換を行うか否かなどを判定する。通信制御部２２は、判定の結果に基づいてパケットを転送する。
【００６２】
たとえば、移動端末装置３０ｂ−１は映像のコンテンツを再生できないために、パケット転送装置２０の通信制御部２２は、移動端末装置３０ｂ−１への音声と映像のパケットから音声パケットを生成して転送していたとする。移動端末装置３０ｂ−２は、たとえば、テレビ電話などの音声と映像のコンテンツを再生できる移動端末装置であれば、パケット転送装置２０のルーティング設定記憶部２１には、移動端末装置３０ｂ−２の端末性能情報として再生可能なコンテンツとして音声と映像が登録されている。したがって、通信制御部２２は、移動端末装置３０ｂ−２にパケットを転送する際には、データの変換を行わずに、受信したパケットをそのまま転送する。すなわち、移動端末装置３０ｂ−２には、音声と映像のパケットを転送する。
【００６３】
このようにこの実施の形態３では、移動端末装置３０ｂ−１，３０ｂ−２がそれぞれ自装置の現在の位置をユーザ管理装置１０に通知し、ユーザ管理装置１０が通知された位置情報とグループ情報とに基づいて同一グループとして登録されている移動端末装置３０ｂ−１，３０ｂ−２が接近した場合、移動端末装置３０ｂ−１，３０ｂ−２に同一グループメンバー接近通知を送信するようにしているので、モバイルＩＰの通信システムにおいてＤｅｖｉｃｅ  Ｍｏｂｉｌｉｔｙを実現することができる。
【００６４】
また、パケット転送装置２０の通信制御部２２は、移動端末装置３０ｂ−１宛てのパケットを移動端末装置３０ｂ−２に転送するのではなく、移動端末装置３０ｂ−１と移動端末装置３０ｂ−２にも送信して、同報配信を行うことも可能である。
【００６５】
実施の形態４．
図９を参照してこの発明における実施の形態４を説明する。この実施の形態４では、図９に示すように、図１に示した通信システムに新たなアクセスポイント７１（接続ポイント）を有する無線アクセスエリア７０が追加される場合を説明する。
【００６６】
アクセスポイント７１は、現在の位置および無線アクセスシステムをユーザ管理装置１０に通知する機能を備えており、無線アクセスエリア７０を通信エリアとする。
【００６７】
ユーザ管理装置１０の記憶部１３には、実施の形態２で説明したように、気付けアドレスとホームアドレスとの対応付け、および端末性能情報に加えて、ユーザ管理装置１０が管理するネットワークの通信エリアの位置を示すアクセスエリアマップが登録される。
【００６８】
つぎに、無線アクセスエリア７０をユーザ管理装置１０のアクセスエリアマップに登録する動作を説明する。アクセスポイント７１は、たとえば、モバイルＩＰｖ６のＢＵメッセージなどのシグナリングメッセージを拡張して、現在の位置と無線アクセスシステムとをユーザ管理装置１０に通知する。
【００６９】
ユーザ管理装置１０の管理制御部１１は、アクセスポイント７１から現在の位置と無線アクセスシステムの通知を受けると、この通知に基づいて記憶部１３に記憶されているアクセスエリアマップを更新する。具体的には、管理制御部１１は、アクセスポイント７１の位置から無線アクセスエリア７０の位置、すなわち通信エリアを推測する。管理制御部１１は、推測した無線アクセスエリア７０の位置を記憶部１３に登録されているアクセスエリアマップに追加する。
【００７０】
このようにこの実施の形態４では、ユーザ管理装置１０の管理制御部１１が、アクセスポイント７１から通知される位置の情報と無線アクセスシステムとに基づいてアクセスポイント７１の無線アクセスエリア７０の位置を推測して、アクセスエリアマップを更新するようにしているので、ユーザ管理装置１０が管理するネットワーク構成が変更された場合にも対応することができ、動的にネットワークを管理することができる。
【００７１】
なお、この実施の形態４では、アクセスポイント７１が現在の位置を通知するようにしたが、現在の位置を通知するのはアクセスポイント７１に限るものではない。たとえば、センサのような端末を含めた移動端末装置が、自装置現在の位置と無線アクセスシステムと無線アクセスシステムの受信強度とをユーザ管理装置１０に通知する。たとえば、モバイルＩＰｖ６の場合には、現在の位置と無線アクセスシステムとをＢＵメッセージを拡張してユーザ管理装置１０に通知する。通知を受けると、ユーザ管理装置１０の制御部３１が、通知された位置の情報と受信強度から無線アクセスシステムの通信エリアを推測してアクセスエリアマップを更新するようにしてもよい。これにより、アクセスポイント７１からの現在の位置から推測する通信エリアと比較して、より詳細なアクセスエリアマップを作成することができる。
【００７２】
実施の形態５．
図１０（図１０−１，図１０−２）を用いてこの発明における実施の形態５を説明する。図１０−１は、この発明における実施の形態５の通信システムの構成の一例を示す概略図である。なお、この発明における実施の形態５の通信システムは、複数の無線アクセスシステムを有しているが、図１０−１では、無線通信エリア４０のみを図示している。この発明における実施の形態５の通信システムは、図８−１に示した実施の形態３の通信システムと同様のものであり、ユーザ管理装置１０は、電車や劇場などの同一の公衆グループ８０（この場合は、電車８０）内に位置する移動端末装置３０ｂ−１，３０ｂ−２を同一グループとして管理する。
【００７３】
移動端末装置３０ｂ−１〜３０ｂ−３は、先の図７に示した移動端末装置３０ｂ−１と同じ機能を備えている。また、移動端末装置３０ｂ−１の制御部３１は、マルチキャストグループのような同一コンテンツを受信するグループのメンバーに参加、脱退するシグナリングをサポートする。
【００７４】
ユーザ管理装置１０の管理制御部１１は、移動端末装置３０ｂ−１〜３０ｂ−３からグループメンバー参加要請、またはグループメンバー脱退要請を受けると記憶部１３に登録されているグループ情報を更新する。
【００７５】
つぎに、図１０を参照してこの発明における実施の形態５の通信システムの動作を説明する。まず、図１０−１を参照して、移動端末装置３０ｂ−３が、電車８０の移動端末装置３０ｂ−１，３０ｂ−２と同一コンテンツを受信するグループのメンバーに参加する動作を説明する。なお、ユーザ管理装置１０の記憶部１３と、パケット転送装置２０のルーティング設定記憶部２１には、電車８０内に位置している移動端末装置３０ｂ−１，３０ｂ−２が同一グループとするグループ情報が登録されており、移動端末装置３０ｂ−１，３０ｂ−２は車内広告などのコンテンツを受信しているものとする。
【００７６】
図１０−１に示すように、移動端末装置３０ｂ−３の所有者が、移動端末装置３０ｂ−３を有して電車８０に乗り込んできたとする。移動端末装置３０ｂ−３の制御部３１は、位置測定部３４によって測定した自装置の位置情報をユーザ管理装置１０に通知する。
【００７７】
ユーザ管理装置１０の管理制御部１１は、記憶部１３に登録されているアクセスエリアマップと移動端末装置３０ｂ−１〜３０ｂ−３の位置情報とに基づいて、移動端末装置３０ｂ−３が移動端末装置３０ｂ−１，３０ｂ−２と接近したことを認識する。管理制御部１１は、移動端末装置３０ｂ−１，３０ｂ−２と接近したことを通知する端末接近通知を移動端末装置３０ｂ−３に送信する。
【００７８】
端末接近通知を受信すると、移動端末装置３０ｂ−３の制御部３１は、近距離無線インターフェース部３５を起動して、移動端末装置３０ｂ−１または移動端末装置３０ｂ−２と通信を行い、電車８０内に公衆グループが形成されていることを認識する。公衆グループに参加する場合、制御部３１は、公衆グループに参加するグループメンバー参加要請をユーザ管理装置１０に送信する。
【００７９】
グループメンバー参加要請を受信すると、ユーザ管理装置１０の管理制御部１１は、記憶部１３に登録されているグループ情報に、グループメンバー参加要請を送信した移動端末装置３０ｂ−３を追加してグループ情報を変更する。管理制御部１１は、グループ情報を変更した後、移動端末装置３０ｂ−３が移動端末装置３０ｂ−１，３０ｂ−２と同じグループに追加されたことをパケット転送装置２０に通知する。
【００８０】
移動端末装置３０ｂ−３が移動端末装置３０ｂ−１，３０ｂ−２と同じグループに追加された通知を受けると、パケット転送装置２０の通信制御部２２は、ルーティング設定記憶部２１に登録されているグループ情報に移動端末装置３０ｂ−３を追加する。以後、通信制御部２２は、移動端末装置３０ｂ−３にも移動端末装置３０ｂ−１，３０ｂ−２に送信しているパケットを送信する。これにより、移動端末装置３０ｂ−３は、移動端末装置３０ｂ−１，３０ｂ−２と同じコンテンツを受信することが可能となり、移動端末装置３０ｂ−３の所有者は、たとえば、車内広告などを自分の移動端末装置３０ｂ−３で視聴することができる。
【００８１】
つぎに、図１０−２を参照して、移動端末装置３０ｂ−３が、電車８０の移動端末装置３０ｂ−１，３０ｂ−２と同一コンテンツを受信するグループのメンバーから脱退する動作を説明する。
【００８２】
移動端末装置３０ｂ−３の所有者が電車８０から下車するなどで参加していた電車８０の公衆グループから脱退する場合、移動端末装置３０ｂ−３の制御部３１は、公衆グループから脱退するグループメンバー脱退要請をユーザ管理装置１０に送信する。
【００８３】
グループメンバー脱退要請を受信すると、ユーザ管理装置１０の管理制御部１１は、記憶部１３に登録されているグループ情報から、グループメンバー脱退要請を送信した移動端末装置３０ｂ−３を削除してグループ情報を変更する。管理制御部１１は、グループ情報を変更した後、移動端末装置３０ｂ−３が移動端末装置３０ｂ−１，３０−２のグループから削除されたことをパケット転送装置２０に通知する。
【００８４】
移動端末装置３０ｂ−３が移動端末装置３０ｂ−１，３０ｂ−２と同じグループから削除された通知を受けると、パケット転送装置２０の通信制御部２２は、ルーティング設定記憶部２１に登録されているグループ情報から移動端末装置３０ｂ−３を削除する。以後、通信制御部２２は、移動端末装置３０ｂ−１，３０ｂ−２へ送信しているパケットを移動端末装置３０ｂ−３へは送信しない。
【００８５】
このようにこの実施の形態５では、ユーザ管理装置１０は移動端末装置３０ｂ−１〜３０ｂ−３からグループメンバー参加要請、またはグループメンバー脱退要請を受けると、同一グループとして管理し、同一グループの移動端末装置３０ｂ−１〜３０ｂ−３の端末性能情報とグループ情報とをパケット転送装置２０に通知し、パケット転送装置２０は端末性能情報とグループ情報とに基づいてパケットを転送するようにしているので、モバイルＩＰの通信システムにおいてＧｒｏｕｐｅ  Ｍｏｂｉｌｉｔｙを実現することができる。
【００８６】
なお、この実施の形態５では、ユーザ管理装置１０の管理制御部１１が、移動端末装置３０ｂ−１〜３０ｂ−３の位置情報とアクセスエリアマップから移動端末装置３０ｂ−３が移動端末装置３０ｂ−１，３０ｂ−２と接近したことを認識して、移動端末装置３０ｂ−３に端末接近通知を送信し、移動端末装置３０ｂ−３の制御部３１が、近距離無線インターフェース部３５を起動して公衆グループが形成されていることを認識し、グループメンバー参加要請を送信することで公衆グループに参加するようにした。しかし、公衆グループへの参加は、グループメンバー参加要請を送信することで実現することが可能であるので、この実施の形態５で説明した手順に限るものではない。
【００８７】
たとえば、電車８０の壁などに取り付けられた表示装置に公衆グループに送信している車内広告などを表示し、表示装置の車内広告を視聴した視聴者が、自分が携帯する移動端末装置からグループメンバー参加要請をユーザ管理装置１０に送信するようにしてもよい。
【００８８】
また、公衆グループは、移動端末装置３０ｂ−１〜３０ｂ−３の位置、すなわち、移動端末装置３０ｂ−１〜３０ｂ−３が接近しているか否かに影響されるものではない。たとえば、電車８０の壁などに取り付けられた表示装置に公衆グループに送信している車内広告などを表示し、表示装置の車内広告を視聴していた視聴者が、電車８０から下車する際に、継続して車内広告を視聴するために、移動端末装置３０ｂ−３からグループメンバー参加要請をユーザ管理装置１０に送信するようにしてもよい。これにより、電車８０を下車しても、移動端末装置３０ｂ−３の所有者は、移動端末装置３０ｂ−３で車内広告を視聴することができる。
【００８９】
また、実施の形態１で説明したように、ユーザ管理装置１０の記憶部１３に端末性能情報を登録しておき、ユーザ管理装置１０によってパケット転送装置２０のルーティング設定記憶部２１に端末性能情報が登録することで、グループ情報に登録されている移動端末装置３０ｂ−１〜３０ｂ−３のそれぞれの端末性能に応じたコンテンツの配信を行うこともできる。
【００９０】
実施の形態６．
図１１を用いてこの発明における実施の形態６を説明する。図１１は、この発明における実施の形態６の通信システムの構成の一例を示す概略図である。この発明における実施の形態６の通信システムは、図１に示した通信システムに無線ＬＡＮ５１が追加され、移動端末装置３０−１，３０−２の代わりに移動端末装置３０ｂ−１，３０ｂ−２を備えている。図１に示した通信システムと同じ機能を持つ構成部分には同一符号を付し、重複する説明は省略する。また、移動端末装置３０ｂ−１は、先の図７に示したものと同じものであるのでここではその説明を省略する。
【００９１】
つぎに、この発明における実施の形態６の通信システムの動作を説明する。なお、移動端末装置３０ｂ−１は音声のみを再生可能であり、移動端末装置３０ｂ−２は音声と映像を再生することが可能とする。また、図１１においては、移動端末装置３０ｂ−１は無線ＬＡＮ５０，５１の通信インターフェースを有する無線インターフェース部３３は停止（無線ＬＡＮ５０，５１のアクセスポイントは検索を行わない状態）して、無線通信エリア４０の通信インターフェースを有する無線インターフェース部３２のみを起動して音声通話を行いながら移動しているものとする。さらに、パケット転送装置２０のルーティング設定記憶部２１には、ユーザ管理装置１０から設定されたルーティング設定(移動端末装置３０ｂ−１の端末性能情報として音声のみの再生が可能であること、移動端末装置３０ｂ−２の端末性能情報として音声と映像の再生が可能であること）されており、パケット転送装置２０の通信制御部２２は、音声と映像のパケットから音声のパケットを生成して移動端末装置３０ｂ−１に送信しているものとする。
【００９２】
移動端末装置３０ｂ−１が、無線通信エリア４０の位置ｘ２から無線通信エリア４０と無線ＬＡＮ５０とで通信可能な位置ｘ３に移動した場合、実施の形態２で説明したように、移動端末装置３０ｂ−１の位置測定部３４によって測定された位置情報を制御部３１がユーザ管理装置１０に通知し、ユーザ管理装置１０の管理制御部１１が、通知された位置情報とアクセスマップとに基づいて無線ＬＡＮ５０へのハンドオーバが可能であると判断し、移動端末装置３０ｂ−１にハンドオーバが可能であることを通知する。
【００９３】
移動端末装置３０ｂ−１の制御部３１は、ハンドオーバを行うことを決定して、停止していた無線インターフェース部３３を起動して無線ＬＡＮ５０のアクセスポイントを検索する。制御部３１は、位置測定部３４によって測定した自装置の位置情報や使用インターフェースなどをユーザ管理装置１０に通知する。通知は、たとえば、モバイルＩＰｖ６の場合には、ＢＵメッセージを拡張してオプションとして位置情報や使用インターフェースなどを付加する。
【００９４】
移動端末装置３０ｂ−１からの通知を受けると、ユーザ管理装置１０の管理制御部１１は、移動端末装置３０ｂ−１の位置を登録する。なお、ネットワークがレイヤ２のＭｏｂｉｌｉｔｙである場合には、ユーザ管理装置１０の管理制御部１１にＭＡＣアドレスを管理する機能を備えておき、ＭＡＣアドレス、現在の位置、および接続している無線アクセスシステム（この場合は、移動端末装置３０ｂ−１のＭＡＣアドレスと、位置ｘ３と、無線ＬＡＮ５０）を通知することで、ユーザ管理装置１０に位置登録をすることができる。
【００９５】
ユーザ管理装置１０の管理制御部１１は、移動端末装置３０ｂ−１の位置登録を行った後に、移動端末装置３０ｂ−１が無線通信エリア４０から無線ＬＡＮ５０に無線アクセスシステムを移動したこと、すなわちハンドオーバが行われたことをパケット転送装置２０に通知する。
【００９６】
ハンドオーバが行われた通知を受けると、パケット転送装置２０の通信制御部２２は、無線通信エリア４０に転送していた移動端末装置３０ｂ−１宛てのパケットを無線ＬＡＮ５０に転送するように切り替える。
【００９７】
さらに、移動端末装置３０ｂ−１が移動して、無線ＬＡＮ５０の通信エリア内の位置ｘ４に移動したとする。ユーザ管理装置１０の管理制御部１１は、移動端末装置３０ｂ−１，３０ｂ−２から通知される位置情報によって、移動端末装置３０ｂ−１と移動端末装置３０ｂ−２とが接近したことを認識する。管理制御部１１は、記憶部１３に記憶されているグループ情報に基づいて、移動端末装置３０ｂ−１と移動端末装置３０ｂ−２とが同一グループであるか否かを判定する。
【００９８】
移動端末装置３０ｂ−１と移動端末装置３０ｂ−２とが同一グループであると判定した場合、ユーザ管理装置１０の管理制御部１１は、同一グループメンバー接近通知を移動端末装置３０ｂ−１，３０ｂ−２に送信する。
【００９９】
同一グループメンバー接近通知を受信すると、移動端末装置３０ｂ−１，３０ｂ−２は、それぞれ近距離無線インターフェース部３５を起動して通信を行う。移動端末装置３０ｂ−１の制御部３１は、移動端末装置３０ｂ−２に対して通信相手、コンテンツタイプなどの情報を通知して、セッションを移動する。セッションの移動が完了すると、移動端末装置３０ｂ−１制御部３１は、セッションを移動端末装置３０ｂ−２に移動したことをユーザ管理装置１０に通知する。
【０１００】
セッションの移動の通知を受けると、ユーザ管理装置１０の管理制御部１１は、セッションの移動があったことをパケット転送装置２０に通知する。
【０１０１】
セッションの移動の通知を受けるとパケット転送装置２０の通信制御部２２は、移動端末装置３０ｂ−１に転送していたパケットを移動端末装置３０ｂ−２宛てに転送する。通信制御部２２は、移動端末装置３０ｂ−１に転送していたパケットを移動端末装置３０ｂ−２に転送する処理を開始する際に、ルーティング設定記憶部２１に登録されている移動端末装置３０ｂ−２の端末性能情報に基づいて、伝送速度を変更するか否か、コンテンツタイプによってパケットを転送するか否か、データ変換を行うか否かなどを判定する。通信制御部２２は、判定の結果に基づいてパケットを転送する。
【０１０２】
ここでは、移動端末装置３０ｂ−１は音声のみの再生することが可能であり、移動端末装置３０ｂ−２は音声と映像とを再生することが可能であることが端末性能情報として登録されている。また、移動端末装置３０ｂ−１宛てのパケットは、音声と映像とのパケットであり、パケット転送装置２０の通信制御部２２が、音声と映像とのパケットから音声のパケットを生成して移動端末装置３０ｂ−１に転送していた。セッションが音声と映像とを再生可能な移動端末装置３０ｂ−２に移動したので、パケット転送装置２０の通信制御部２２は、音声と映像のパケットをそのまま移動端末装置３０ｂ−２に送信する。これにより、移動端末装置３０ｂ−１で行われていた音声通話が、移動端末装置３０ｂ−２に引き継がれて、たとえば、テレビ電話のような音声と映像との通信となる。
【０１０３】
一方、移動端末装置３０ｂ−１と移動端末装置３０ｂ−２とが同一グループではないと判定した場合、ユーザ管理装置１０の管理制御部１１は、処理を行わない。しかし、実施の形態５で説明したように、移動端末装置３０ｂ−２がグループメンバー参加要請をユーザ管理装置１０に送信することで、移動端末装置３０ｂ−２は、移動端末装置３０ｂ−１が受信しているパケットと同じパケットを受信することができる。
【０１０４】
このようにこの実施の形態６では、移動端末装置３０ｂ−１，３０ｂ−２がそれぞれ時装置の現在の位置をユーザ管理装置１０に通知し、ユーザ管理装置１０が通知された位置情報とグループ情報とに基づいて同一グループとして登録されている移動端末装置３０ｂ−１，３０ｂ−２が接近した場合、移動端末装置３０ｂ−１，３０ｂ−２に同一グループメンバー接近通知を送信する。移動端末装置３０ｂ−１，３０ｂ−２は近距離無線インターフェース部３５を介して相互通信を行ってセッションの移動を行った後に、セッション移動完了通知をユーザ管理装置１０に送信する。セッション移動完了通知を受信するとユーザ管理装置１０は、セッションが移動されたことをパケット転送装置２０に通知して、移動端末装置３０ｂ−１宛てのパケットを移動端末装置３０ｂ−２に転送する。これにより、モバイルＩＰｖ６に基づいたネットワークでユビキタスネットワークを実現し、移動端末装置の通信機能を向上することができる。
【０１０５】
なお、実施の形態１〜６では、ユーザ管理装置１０とパケット転送装置２０とはＬＡＮケーブルや無線通信などで接続されているものとしたが、ユーザ管理装置１０とパケット転送装置２０とはインターネット６０で接続してもかまわない。また、パケット転送装置２０は、移動端末装置のパケット転送の経路上であれば、ネットワークのどこに配置されてもかまわない。
【０１０６】
また、実施の形態１〜６では、インターネット６０を介してパケット転送装置と移動端末装置とが接続するようにしたが、パケット転送装置２０が異なる無線アクセスシステムに対応するインターフェース機能を備え、無線アクセスシステムに直接接続するようにしてもよい。
【０１０７】
また、実施の形態１〜６では、移動端末装置は通信システム内の無線アクセスシステムに対応する無線インターフェース部を備えるようにしたが、通信システムが有する異なる無線アクセスシステムの少なくとも２つに対応する無線インターフェース部を備えればよく、通信システム内の移動端末装置は、すべて同じ機能を有する必要はない。
【産業上の利用可能性】
【０１０８】
以上のように、この発明にかかる通信システムは、モバイルＩＰに有用であり、特に、ＱｏＳの保証が要求される場合に適している。
【図面の簡単な説明】
【０１０９】
【図１】この発明における実施の形態１の通信システムの構成の一例を示す概略図である。
【図２】図１に示したユーザ管理装置の構成を示すブロック図である。
【図３】図１に示したパケット転送装置の構成を示すブロック図である。
【図４】図１に示した移動端末装置の構成を示すブロック図である。
【図５】この発明における実施の形態２の通信システムに適用される移動端末装置の構成を示すブロック図である。
【図６】アクセスエリアマップを説明するための図である。
【図７】この発明における実施の形態３の通信システムに適用される移動端末装置の構成を示すブロック図である。
【図８−１】この発明における実施の形態３の通信システムの動作を説明するための図である。
【図８−２】この発明における実施の形態３の通信システムの動作を説明するための図である。
【図９】この発明における実施の形態４の通信システムの構成の一例を示す概略図である。
【図１０−１】この発明における実施の形態４の通信システムの動作を説明するためのシーケンス図である。
【図１０−２】この発明における実施の形態４の通信システムの動作を説明するためのシーケンス図である。
【図１１】この発明における実施の形態６の通信システムの構成の一例を示す概略図である。
【符号の説明】
【０１１０】
１０  ユーザ管理装置
１１  管理制御部
１２  ＰＮインターフェース部
１３  記憶部
２０  パケット転送装置
２１  ルーティング設定記憶部
２２  通信制御部
２３  ＵＥインターフェース部
２４  ＵＥＭインターフェース部
３０−１，３０−２，３０ａ−１，３０ａ−２，３０ｂ−１，３０ｂ−２，３０ｂ−３  移動端末装置
３１  制御部
３２，３３  無線インターフェース部
３４  位置測定部
３５  近距離無線インターフェース部
４０  無線通信エリア
５０，５１  無線ＬＡＮ
６０  インターネット
７０  無線アクセスエリア
７１  アクセスポイント
８０  電車
【図１】
2005295332.tif 000003
【図２】
2005295332.tif 000004
【図３】
2005295332.tif 000005
【図４】
2005295332.tif 000006
【図５】
2005295332.tif 000007
【図６】
2005295332.tif 000008
【図７】
2005295332.tif 000009
【図８−１】
2005295332.tif 000010
【図８−２】
2005295332.tif 000011
【図９】
2005295332.tif 000012
【図１０−１】
2005295332.tif 000013
【図１０−２】
2005295332.tif 000014
【図１１】
2005295332.tif 000015